(57)【要約】【課題】任意に設定した量の温水を自動的に給湯する給湯機で湯張り完了後に出湯蛇口を閉じるだけで再使用を可能とすることで出湯蛇口から連続的に湯の取り出しが出来るようして使い勝手の向上させる。【解決手段】湯張り完了後に所定時間だけ流量制御装置７を駆動して、給湯回路２に流れる流量を流量検知装置６が検知できる最小水量に維持して、浴室へ行って出湯蛇口１を閉じた時に流量検知装置６で通水の停止を検知した場合には、湯張り制御装置２２のバーナ強制消火信号を解除するとともに、流量制御装置７を全開状態に復帰させるものである。【選択図】  図１
2004360993.tif 000002
【特許請求の範囲】
【請求項１】
出湯蛇口の上流側に配設された給湯管、熱交換器、給水管からなる給湯回路と、前記給湯回路を流れる水量を計測する流量検知装置と、前記給湯回路の流量を制御する流量制御装置と、前記給湯回路を閉止する止水弁と、前記熱交換器を加熱するバーナと、所定の湯量を設定する湯量設定装置と、リセットスイッチと報知音発生装置を備えたリモコン装置と、前記バーナを強制消火する強制消火信号及び前記報知音発生装置を駆動する報知信号及び前記水止水弁を閉止動作する給湯停止信号とを出力する湯張り制御装置とを備え、前記出湯蛇口を開成して給湯回路に通水した後に、前記湯量設定装置で設定した湯量と前記流量検知装置で計測した水量が等しくなれば、所定時間だけ前記湯張り制御装置から強制消火信号を出力して前記バーナを消火し、同時に報知信号にて報知音を鳴らし、給湯停止信号にて前記流量制御装置を駆動して前記給湯回路に流れる流量を前記流量検知装置が検知できる最小水量に維持するとともに、その後、前記流量検知装置で通水の停止を検知した場合には、前記強制消火信号を解除するとともに、流量制御装置を全開状態に復帰させることを特徴とする給湯機。
【請求項２】
所定時間内に流量検知装置で通水の停止を一定時間連続して検知した場合のみ、強制消火信号を解除するとともに、流量制御装置を全開状態に復帰させるタイマー装置を設けた請求項１記載の給湯機。
【請求項３】
所定時間内に流量検知装置で通水の停止を検知しない時は、湯張り制御装置から報知信号を出力して報知音を鳴らすとともに、給湯停止信号にて止水弁を閉止して給湯回路の通水を遮断することを特徴とした請求項１記載の給湯機。
【請求項４】
湯量設定装置で設定した湯量と流量検知装置で計測した水量が等しくなった時の報知音と、湯張り完了後所定時間経過した時の報知音を異なる報知音とした請求項１または３記載の給湯機。
【発明の詳細な説明】
【０００１】
【発明の属する技術分野】
本発明は給湯機、特に、出湯蛇口を開成して設定量を浴槽等に給湯した時に自動的に給湯回路を閉止して給湯を停止できるようにした湯張り機能付き給湯機に関するものである。
【０００２】
【従来の技術】
任意に設定した湯量を自動的に給湯するようにした給湯機として、例えば図２に示すような装置がある。給湯回路２４は熱交換器２５を経て浴槽（図示せず）の近傍に配設された出湯蛇口２６まで延びている。又、給湯回路２４に於ける熱交換器２５の上流側には流量検知装置２７と常開の水止水弁２８が挿入されており、流量検知装置２７は給湯回路２４を流れた水の総量を計測する機能を有している。これら流量検知装置２７や水止水弁２８は制御回路２９に接続され、操作装置３０の設定状態に応じて所定の動作を行う。また、操作装置３０には湯量設定装置３１や湯温設定器３２が配設されている。
【０００３】
上記給湯機を用いて浴槽に湯張りするときは、湯量設定装置３１で湯量を設定して出湯蛇口２６を開放すると、制御回路２９の出力でガスバーナ３３が点火し、常開の水止水弁２８から供給される水が熱交換器２５部分で加熱された後に出湯蛇口２６から浴槽に供給される。
【０００４】
他方、給湯回路２４を流れる水量は流量検知装置２７で計測されており、計測値が湯量設定装置３１に設定した湯量に等しくなると、ガスバーナ３３が消火し、水止水弁２８が閉弁状態に維持され、これにより、湯張り動作が完了する。
【０００５】
このものでは、上記湯量設定装置３１は湯張り完了後に水止水弁２８を強制開弁させるリセットスイッチとしての機能も有しており、湯張り完了後に湯量設定装置３１をリセット位置まで操作させると、閉弁状態にある水止水弁２７が開弁状態に復帰し、以後、出湯蛇口２６から連続的に湯の取り出しができるようになっている（例えば、特許文献１参照）。
【０００６】
【特許文献１】
特公平１−１４４９８号公報（図１）
【０００７】
【発明が解決しようとする課題】
しかしながら上記の従来の構成では、湯量設定装置３１は通常、遠隔操作のできる操作装置３０に具備されるが、この種の操作装置３０の多くは台所に設置される場合が多く、それゆえ浴槽に湯張りをして入浴するときは、まず湯量設定装置３１で湯量を設定するために操作装置３０のところまで行き、その後浴室へ行って出湯蛇口２６を開く必要があり、また湯張り完了後に水止水弁２７を強制開弁させるときも浴室へ行って出湯蛇口２６を閉じた後、操作装置３０のところまで行って湯量設定装置３１をリセット操作してから、再度浴室へ行って入浴することとなり、操作装置３０が浴室に設置されていない場合には浴室と操作装置３０の設置されている台所とを往復しなければならず、使い勝手が悪いという課題があった。
【０００８】
本発明は上記課題を解決するもので、湯張り完了後に所定時間だけ流量制御装置を駆動して給湯回路に流れる流量を流量検知装置が検知できる最小水量に維持し、浴室へ行って出湯蛇口を閉じた時に流量検知装置で通水の停止を検知した場合にはバーナ強制消火信号を解除するとともに、流量制御装置を全開状態に復帰させることで浴室と操作装置３０の設置されている場所とを往復することなく、出湯蛇口から連続的に湯の取り出しができるようして、使い勝手の向上を図ることを目的とする。
【０００９】
【課題を解決するための手段】
本発明は上記目的を達成するために、出湯蛇口の上流側に配設された給湯管、熱交換器、給水管からなる給湯回路と、給湯回路を流れる水量を計測する流量検知装置と、給湯回路の流量を制御する流量制御装置と、給湯回路を閉止する止水弁と、熱交換器を加熱するバーナと、所定の湯量を設定する湯量設定装置及びリセットスイッチ及び報知音発生装置を備えたリモコン装置と、バーナを強制消火する強制消火信号及び報知音発生装置を駆動する報知信号及び止水弁を閉止動作する給湯停止信号とを出力する湯張り制御装置とを備え、前記出湯蛇口を開成して給湯回路に通水した後に、前記湯量設定装置で設定した湯量と前記流量検知装置で計測した水量が等しくなれば、予め定めた所定時間だけ前記湯張り制御装置から強制消火信号を出力して前記バーナを消火するとともに、給湯停止信号により前記流量制御装置を駆動して給湯回路に流れる流量を前記流量検知装置が検知できる最小水量に維持し、前記流量検知装置で通水の停止を検知した場合には、前記強制消火信号を解除するとともに、流量制御装置を全開状態に復帰させるようにしたものである。
【００１０】
上記発明によれば、湯張り完了後に所定時間の間は浴室の出湯蛇口を閉じる操作をするだけで出湯蛇口から連続的に湯の取り出しができるようになるので、使い勝手の向上を図ることができる。
【００１１】
【発明の実施の形態】
請求項１記載の発明は、出湯蛇口の上流側に配設された給湯管、熱交換器、給水管からなる給湯回路と、前記給湯回路を流れる水量を計測する流量検知装置と、前記給湯回路の流量を制御する流量制御装置と、前記給湯回路を閉止する止水弁と、前記熱交換器を加熱するバーナと、所定の湯量を設定する湯量設定装置と、リセットスイッチと報知音発生装置を備えたリモコン装置と、前記バーナを強制消火する強制消火信号及び前記報知音発生装置を駆動する報知信号及び前記水止水弁を閉止動作する給湯停止信号とを出力する湯張り制御装置とを備え、前記出湯蛇口を開成して給湯回路に通水した後に、前記湯量設定装置で設定した湯量と前記流量検知装置で計測した水量が等しくなれば、所定時間だけ前記湯張り制御装置から強制消火信号を出力して前記バーナを消火し、同時に報知信号にて報知音を鳴らし、給湯停止信号にて前記流量制御装置を駆動して前記給湯回路に流れる流量を前記流量検知装置が検知できる最小水量に維持するとともに、その後、前記流量検知装置で通水の停止を検知した場合には、前記強制消火信号を解除するとともに、流量制御装置を全開状態に復帰させることを特徴とするものであり、湯張り完了後の所定時間の間に浴室の出湯蛇口を閉じる操作をするだけで、出湯蛇口から連続的に湯の取り出しができるようになるので、使い勝手を向上することができる。
【００１２】
請求項２記載の発明は、所定時間内に流量検知装置で通水の停止を一定時間連続して検知した場合のみ、強制消火信号を解除するとともに、流量制御装置を全開状態に復帰させるタイマー装置を設けたことを特徴とするものであり、出湯操作した出湯蛇口以外の蛇口の操作や、給水元配管の水圧変動で、瞬間的に流量検知装置が通水の停止を誤検知することを防止できるので、水の無駄防止と安全性を向上することができる。
【００１３】
請求項３記載の発明は、所定時間内に流量検知装置で通水の停止を検知しない時は、湯張り制御装置から報知信号にて報知音を鳴らして、給湯停止信号にて止水弁を閉止して給湯回路の通水を閉止するので、万一出湯蛇口を閉じるのを忘れても浴槽から湯が溢れないので、水の無駄防止と安全性を向上することができる。
【００１４】
請求項４記載の発明は、湯量設定装置で設定した湯量と流量検知装置で計測した水量が等しくなった時の報知音と、湯張り完了後所定時間経過した時の報知音を異なる報知音としたもので、所定時間経過後の報知音を聞いた場合に出湯蛇口から連続的に湯の取り出しができるようにするには、リセットスイッチを操作する必要があることがあらかじめ判るので、服を脱ぐ前に出湯蛇口を閉めることができ、使い勝手を向上することができる。
【００１５】
【実施例】
（実施例１）
図１は本発明の実施例１における全体構成図を示す。
【００１６】
１は出湯蛇口、２は前記出湯蛇口１の上流側に配設された給湯管３、熱交換器４、給水管５からなる給湯回路、６は給湯回路２に連接し給湯回路２を流れた水量を計測する流量検知装置、７は給湯回路に流れる流量を制御する流量制御装置、８は給湯回路を閉止する止水弁、９は熱交換器を加熱するバーナ、１０は運転スイッチ１１、所定の湯量を設定する湯量設定装置１２、リセットスイッチ１３、報知音発生装置１４、湯温設定装置１５を備えたリモコン装置、１６はリモコン装置１０の設定温度と出湯温度に応じてバーナ９に供給する燃料を制御する燃料制御装置、１７は燃料弁、１８は燃焼用空気を供給する送風機、１９は入水温度を検出する入水温度検出装置、２０は出湯温度を検出する出湯温度検出装置、２１は給湯機全体の制御を行うコントローラで、図示しない理論演算回路を構成するＣＰＵ、ＲＡＭ、ＲＯＭと各種センサや制御装置からの入力信号受付ける入力部と入力部からの入力を計算する演算部と各種のアクチュエータに駆動信号を出力する出力部で構成されている。
【００１７】
２２はコントローラ２１に内蔵された湯張り制御装置で、バーナ９を強制消火する強制消火信号及び報知音発生装置１４を駆動する報知信号及び止水弁８を閉止動作する給湯停止信号等を出力し、所定の湯張り運転を制御するものである。２３はバーナ９を点火する点火装置である。
【００１８】
上記構成において、湯張り動作について説明する。
【００１９】
使用者が浴槽に湯張りを行うためには、あらかじめリモコン装置１０にある湯量設定装置１２と湯温設定装置１５で浴槽に入れるお湯の湯量と温度を設定しておく。この湯量と温度はリモコン装置１０に記憶されるので、同一条件で使用する場合は、一度設定すれば次回からは設定の必要がない。
【００２０】
次に、浴室の出湯蛇口１を開くと、給湯回路２に水が流れて流量検知装置６が「ＯＮ」してコントローラ２１が、給湯機の各アクチュエーターの初期チェックを行い、送風機１８を点火回転数で回転する。
【００２１】
送風機１８が回転を開始すると点火装置２１が「ＯＮ」して連続火花放電が始まり、同時にバ−ナ９に供給される燃料回路を開閉する燃料弁１７が開き、点火に必要なガス量を供給するように燃料制御装置１６を「開」にしてバーナ９にガスを供給して点火する。
【００２２】
以降、出湯温度検出装置２０で検出する湯温が、湯温設定装置１５で設定された温度になるように燃料制御装置１６が燃料を調整する。
【００２３】
また、バーナ９で燃焼する燃料が良好な燃焼をするように送風機１８が適宜風量を調整する。
【００２４】
その後、湯量設定装置１２で設定した湯量と流量検知装置６で計測した水量が等しくなれば、湯張り制御装置２２から強制消火信号が出力され、燃料制御装置１６と燃料弁１７が閉じて燃料の供給を停止するのでバーナ９は消火する。
【００２５】
また同時に、湯張り制御装置２２から報知信号が出力され、報知音発生装置１４が報知音を鳴らして湯張りの完了を知らせる。
【００２６】
更に、湯張り制御装置２２にはタイマーが設けられており、湯張り完了後、所定時間（本実施例の場合、５分間）の間、湯張り制御装置２２から出力される給湯停止信号にて流量制御装置７が駆動し、給湯回路２に流れる流量を流量検知装置６が検知できる最小水量（本実施例の場合は２Ｌ／ｍｉｎ）に維持して給湯回路２の通水を継続する。
【００２７】
この所定時間（５分間）の間に使用者が出湯蛇口１を閉じると、流量検知装置６で通水の停止を検知できるので、湯張り制御装置２２は出湯蛇口１が閉じられたことを認識して、湯張り制御装置２２から出力される強制消火信号を解除するとともに、流量制御装置７を全開状態に復帰して、次に出湯蛇口１が開けられると通常に蛇口操作で規定される流量と湯量設定装置１２で設定した温度のお湯が供給される。
【００２８】
以上のように、使用者は浴室の出湯蛇口１を開いて、リモコン装置１０にある報知音発生装置１４の報知音があれば浴室の出湯蛇口１を閉じるだけで、通常に連続的に湯の取り出しができるようになるので、使い勝手を向上することができる。
【００２９】
（実施例２）
実施例２は、上記実施例１に加えて、所定時間内に流量検知装置６で通水の停止を一定時間連続して検知した場合（本実施例の場合は３秒間連続して流量検知装置６で通水の停止を検知した場合）にのみ、湯張り制御装置２２の強制消火信号を解除するとともに、流量制御装置７を全開状態に復帰させるタイマー装置を設けた構成としものであり、出湯操作した出湯蛇口１以外の蛇口の操作や給水元配管の水圧変動で、瞬間的に流量検知装置６が通水の停止を誤検知することを防止できるので、水の無駄防止と安全性を向上することができる。
【００３０】
（実施例３）
実施例３は、上記実施例１に加えて、所定時間内（本実施例の場合５分間）の間に流量検知装置６で通水の停止を検知しない時は、湯張り制御装置２２からの給湯停止信号にて止水弁８を閉止して、給湯回路２の通水を完全に閉じ、湯張り制御装置２２からの報知信号にて報知音発生装置１４が報知音を鳴らして、止水弁８の閉止を知らせる。
【００３１】
そのため、万一、出湯蛇口を閉じるのを忘れても浴槽から湯が溢れないので、水の無駄防止と安全性を向上することができる。
【００３２】
（実施例４）
実施例４は上記実施例１に加えて、湯量設定装置１２で設定した湯量と流量検知装置６で計測した水量が等しくなった時の報知音と、湯張り完了後所定時間経過した時の報知音を異なる報知音としたもので、所定時間経過後の報知音を聞いた場合に、出湯蛇口１から連続的に湯の取り出しができるるようにするには、リセットスイッチ１３を操作する必要があることがあらかじめ判るので、服を脱ぐ前に出湯蛇口１を閉めることができ、使い勝手を向上することができる。
【００３３】
【発明の効果】
以上説明したように本発明の給湯機によれば、湯張り完了後に所定時間（本実施例の場合５分間）流量制御装置を駆動して、給湯回路に流れる流量を流量検知装置が検知できる最小水量に維持して、浴室へ行って出湯蛇口を閉じた時に流量検知装置で通水の停止を検知した場合には、バーナ強制消火信号を解除するとともに、流量制御装置を全開状態に復帰させるので、湯張り完了後に浴室とリモコン装置の設置されている浴室以外の場所とを往復することなく、出湯蛇口から連続的に湯の取り出しができるようになるので、使い勝手を向上することができる。
【００３４】
また、湯張り完了後の所定時間内に出湯蛇口が閉じられない場合は、止水弁が給湯回路の通水を完全に閉止するので、万一出湯蛇口を閉じるのを忘れても浴槽から湯が溢れることがなく、水の無駄防止と安全性を向上することができる。
【００３５】
さらに、止水弁が給湯回路の通水を完全に閉止したときに、湯量設定装置で設定した湯量と流量検知装置で計測した水量が等しくなった時の報知音と異なる報知音が鳴るので、出湯蛇口から連続的に湯の取り出しができるようにするには、リセットスイッチを操作する必要があることがあらかじめ判るので、使い勝手を向上することができる。
【図面の簡単な説明】
【図１】本発明の実施例１における全体構成図
【図２】従来の給湯機の構成図
【符号の説明】
１  出湯蛇口
２  給湯回路
６  流量検知装置
７  流量制御装置
８  止水弁
１０  リモコン装置
１２  湯量設定装置
１３  リセットスイッチ
１４  報知音発生装置
１５  湯温設定装置
１７  燃料弁
２０  出湯温度検出装置
２１  コントローラ
２２  湯張り制御装置
【図１】
2004360993.tif 000003
【図２】
2004360993.tif 000004